(57)【特許請求の範囲】
【請求項１】
本体テープと該本体テープに側端部を貼り合わせられたトップテープからなる部品テープを部品供給口まで搬送し前記本体テープの凹部に収容された電子部品を前記部品供給口から部品搭載装置に供給するテープフィーダにおいて、
前記部品供給口の近傍において前記部品テープの部品を供給するための供給搬送と使用済み本体テープを機外に排出するための排出搬送を兼ねて行うスプロケットと、
前記使用済み本体テープから剥離された使用済みトップテープを機外に排出するための排出搬送を行う排出ギアと、
前記スプロケットと前記排出ギアとを駆動伝達系を介して同時に回転駆動する１個の駆動モータと、
前記排出ギアに前記使用済みトップテープを介して圧接係合する補助排出ギアと、
該補助排出ギアを前記排出ギアへの圧接係合方向に付勢する付勢機構と、
該付勢機構の付勢力の強弱を可変する可変機構と、
を備えたことを特徴とするテープフィーダ。
【請求項２】
前記付勢機構は、一方で本体装置に軸支され、他方で前記補助排出ギアの支持軸に軸支された回動部材と、該回動部材に一端を係止させ他端を引き伸ばされて引き付勢力を発生させる螺旋バネと、から成り、
前記可変機構は、本体装置に固設され、前記螺旋バネの前記他端を引き伸ばして係止させる複数の係止ピン、から成る、
ことを特徴とする請求項１記載のテープフィーダ。
【請求項３】
前記付勢機構は、本体装置に固設された支持ピン部材と、一端を前記補助排出ギアの支持軸に係止させ、中央部を前記支持ピン部材に軸支され、他端を中央部方向に巻き込まれることにより押し付勢力を発生させる線バネ又は板バネと、から成り、
前記可変機構は、本体装置に固設され、前記線バネ又は板バネの他端を、該線バネ又は板バネの中央部方向に巻き込む位置で係止させる複数の他端部位置決めピンから成る、
ことを特徴とする請求項１記載のテープフィーダ。
【発明の詳細な説明】
【技術分野】
【０００１】
本発明は、簡単かつ安価な構成で厚さや強弱の異なるトップテープを容易に巻き取ることのできるテープフィーダに関する。
【背景技術】
【０００２】
従来より、チップ状電子部品（以下、単に部品という）を保持して、この部品を部品搭載装置に供給するテープ式部品供給装置（以下、単にテープフィーダという）がある。
このテープフィーダは、通常、その後端部にテープリールを着脱自在に装着しており、そのテープリールには部品を満載した部品テープが巻着されている。
【０００３】
部品テープは、本体テープとこの本体テープに側端部を貼り合わせられたトップカバーテープ（以下、トップテープという）の二種類のテープ部材から成る。
本体テープは、多数の凹部を長手方向に沿って一定間隔で備えており、その凹部に部品を収容している。トップテープは、本体テープの部品を収容した凹部の開口部を上から押さえ込むように貼り合わせられており、これにより、部品が凹部から脱落しないようにしている。
【０００４】
部品テープの一方の側端部には、スプロケットの歯が係合する孔が通常４ｍｍ間隔で形成されている。スプロケットは、シリンダ機構によるカム操作とラチェットの作用により、所定のタイミングとテープ送り速度で、部品テープをテープリールから引き出して部品供給口へ送り出す。
【０００５】
部品供給口では本体テープからトップテープが剥離され、凹部内で外部に露出した部品が部品搭載装置の吸着ノズルに供給される。
部品テープのトップテープが剥離されて部品の供給を終えた本体テープは、引き続きスプロケットにより機外の排出方向へ搬送され、他方、本体テープから剥離されたトップテープは、取り込み口に対向する２つの巻き取りギアを有するトップテープ収容器に収容される。（例えば、特許文献１参照。）
【特許文献１】特開２００３−０６０３９０号公報（図１(a),(b) ）
【発明の開示】
【発明が解決しようとする課題】
【０００６】
ところで、部品テープは、どの種類であっても本体テープの厚さや強弱には、さほどの違いはないが、トップテープは、本体テープに対し搬送方向とは逆方向に剥離する関係もあって、部品テープの種類によって、かなり厚さや強弱が異なる。
【０００７】
したがって、そのような部品テープの種類の違いに対処するため、上記特許文献１のテープフィーダは、部品テープや使用済み部分の本体テープを搬送するスプロケットの駆動機構が極めて入り組んでいて複雑である。
【０００８】
また、使用済みトップテープを収容するためのトップテープ収容器の構造も、その巻き取りギアの駆動方式も極めて入り組んでいて複雑である。
このため、テープフィーダ本体内で部品テープにジャムが発生したとき、あるいは構成部品の一部が破損したときなどには、その修復のための保守作業で、分解と組み立てに手数と時間を要し、全体の作業能率が低下する。また、その保守作業には熟練者を必要とするから、保守作業要員の確保にも困難を伴う。
【０００９】
本発明の課題は、上記従来の実情に鑑み、簡単かつ安価な構成で、厚さや強弱の異なるトップテープを容易に巻き取ることのできるテープフィーダを提供することである。
【課題を解決するための手段】
【００１０】
本発明のテープフィーダは、本体テープと該本体テープに側端部を貼り合わせられたトップテープからなる部品テープを部品供給口まで搬送し上記本体テープの凹部に収容された電子部品を上記部品供給口から部品搭載装置に供給するテープフィーダにおいて、上記部品供給口の近傍において上記部品テープの部品を供給するための供給搬送と使用済み本体テープを機外に排出するための排出搬送を兼ねて行うスプロケットと、上記使用済み本体テープから剥離された使用済みトップテープを機外に排出するための排出搬送を行う排出ギアと、上記スプロケットと上記排出ギアとを駆動伝達系を介して同時に回転駆動する１個の駆動モータと、上記排出ギアに上記使用済みトップテープを介して圧接係合する補助排出ギアと、該補助排出ギアを上記排出ギアへの圧接係合方向に付勢する付勢機構と、該付勢機構の付勢力の強弱を可変する可変機構と、を備えて構成される。
【００１１】
このテープフィーダにおいて、例えば、上記付勢機構は、一方で本体装置に軸支され、他方で上記補助排出ギアの支持軸に軸支された回動部材と、該回動部材に一端を係止させ他端を引き伸ばされて引き付勢力を発生させる螺旋バネと、から成り、上記可変機構は、本体装置に固設され、上記螺旋バネの上記他端を引き伸ばして係止させる複数の係止ピン、から成るように構成され、また、例えば、上記付勢機構は、本体装置に固設された支持ピン部材と、一端を上記補助排出ギアの支持軸に係止させ、中央部を上記支持ピン部材に軸支され、他端を中央部方向に巻き込まれることにより押し付勢力を発生させる線バネ又は板バネと、から成り、上記可変機構は、本体装置に固設され、上記線バネ又は板バネの他端を、該線バネ又は板バネの中央部方向に巻き込む位置で係止させる複数の他端部位置決めピン、から成るように構成される。
【発明の効果】
【００１２】
本発明によれば、駆動伝達系を介して１個の駆動モータのみでスプロケットとトップテープの排出ギアとを同時に回転駆動する安価な構成でありながら、排出ギア方向へ補助排出ギアを複数段階で強弱付勢する簡単な構成の付勢機構を備えたので、トップテープを引きちぎったり排出ギアが上滑りしてトップテープを排出できないという不具合もなく、複数種類のトップテープの排出に確実に対処できるテープフィーダを提供することが可能となる。
【発明を実施するための最良の形態】
【００１３】
以下、本発明の実施の形態を図面を参照しながら説明する。
【実施例１】
【００１４】
図１は、第１の実施形態におけるテープフィーダをその部品供給口近傍の構成を主体として模式的に示す側面図である。同図に示すように、本例のテープフィーダ１は、図では右方となる後端部にテープリール２を着脱自在に装着している。
【００１５】
テープリール２には、部品（図示省略）を満載した部品テープ３が巻着されている。部品テープ３は、本体テープ４と、この本体テープ４に側端部を貼り合わせられたトップテープ５の二種類のテープ部材から形成されている。
【００１６】
図では、定かに示されていないが、本体テープ４は、多数の凹部を長手方向に沿って一定間隔で備えており、その凹部に部品を収容している。トップテープ５は、本体テープ４の部品を収容した凹部の開口部を上から押さえ込むように貼り合わせられており、これにより、部品が本体テープ４から脱落しないようにしている。
【００１７】
部品テープ３の一方の側端部（例えば図面奥行き方向手前側の端部）には、スプロケット６の歯７が係合する孔が通常４ｍｍ間隔で形成されている。スプロケット６は、支持軸８に支持され、歯７が形成されている周の径よりもやや小径のギア９を備えている。
【００１８】
このスプロケット６のギア９には、アイドルギア１１が歯合しており、アイドルギア１１には減速二枚ギア１２の小径ギアが歯合し、減速二枚ギア１２の大径ギアにはスプロケット６を駆動するための送りモータ１３の駆動軸ギアが歯合している。
【００１９】
この送りモータ１３は、所定のタイミングとテープ送り速度で、部品テープ３をテープリール２から引き出して部品供給口１４へ送り出す。部品供給口１４では、トップテープを剥離されて凹部内で外部に露出した部品が不図示の部品搭載装置の吸着ノズルに供給される。
【００２０】
トップテープを剥離され、部品搭載装置に部品を供給して使用済みとなった本体テープ４は、引き続きスプロケット６により機外の排出方向へ矢印ａで示すように搬送される。
他方、本体テープ４から剥離されたトップテープ５は、テープフィーダ１の後端部方向に反転し、案内ピン１５に摺接しながら斜め下方に走行し、排出ギア１６と補助排出ギア１７により圧接挟持されて搬送され、機外下方に排出される。
【００２１】
上記の排出ギア１６は、他の減速二枚ギア１８の小径ギアに歯合し、その減速二枚ギア１８の大径ギアが排出ギア１６を駆動するための巻取りモータ１９の駆動軸ギアが歯合している。
【００２２】
また、補助排出ギア１７は、回動支持軸２１、回転支持軸２２、螺旋バネ２３、棒状部材２４、及び係止ピン２５からなる付勢機構により、排出ギア１６方向に付勢されている。
【００２３】
回動支持軸２１は本体装置に固設され、棒状部材２４は一端を補助排出ギア１７の回転支持軸２２に支持され、他端を回動支持軸２１に回動自在に支持され、ほぼ中央部に螺旋バネ２３の一端を係止させている。螺旋バネ２３は他端を係止ピン２５に係止させ、係止ピン２５は本体装置に固設されている。
【００２４】
このテープフィーダ１は、取っ手２６を現場オペレータにより持ち上げられて部品搭載装置の所望の装着位置に持ち運ばれ、前端部に突設されている２個の位置決め係合ピン２７により装着位置に装着される。また、このとき下方の位置決め係合ピン２７の更に下方に設けられているハーネス２８が、部品搭載装置のハーネスと係合して部品搭載装置の制御部から制御信号と電源を供給される。
【００２５】
この構成において、部品搭載装置本体からの指示で、送りモータ１３と巻取りモータ１９に、それぞれ巻き上げ回転の指示が出されて、部品テープ３が部品供給口１４に搬送され、使用済みのトップテープ５が機外に排出される。
【００２６】
この場合、それぞれのモータが個別に駆動されるので、つまりトップテープ５の巻取り側は、本体テープ４の送り側と分離しているため、巻取りモータ１９に対して、トップテープ５の種類に合せた回転トルクの設定が可能である。
【００２７】
したがって、切れやすいトップテープ５に対しては弱めの回転トルクで巻き上げることが可能である。また、腰の強い丈夫なトップテープ５に対しては、強い回転トルクで回転し、トップテープ５との滑りを発生させながら補助排出ギア１７と共にトップテープ５を挟持しながら機外に排出する。
【００２８】
また、送り側に対するトップテープ５の巻き取りや、動作開始のタイミングを可変することも容易である。
【実施例２】
【００２９】
ところで、テープフィーダ１に送りモータ１３と巻取りモータ１９の２つのモータを備えるのは、モータは極めて高価なものであるからテープフィーダの価格が上昇して顧客にとっては好ましいことではない。また、テープフィーダが大型化するという問題も残される。
【００３０】
これらの問題は、図１の減速二枚ギア１２と１８を１個のモータで駆動するようにすれば解決する。
しかし、トップテープには、材質、厚み、接着剤などの巻き取りに影響する要素が多く、また、トップテープに使用される素材には特別の規格が設定されているわけではないので、前述したようにトップテープを巻き上げる際のテンションは部品テープの種類によって種々変動させる必要がある。
【００３１】
上述した第１の実施形態のように本体テープの送りと、トップテープの巻取りを、完全に分けて２つの駆動系を存在させた場合は、部品テープの種類によってトップテープの巻取りのテンションを変動させることは容易に調整がつく。
【００３２】
しかし、１つの駆動原で本体テープの送りとトップテープの巻取りの２つのことを同時に行うとなると、巻取り側の調整が難しくなる。
ここで本発明者は、１つの駆動原で本体テープの送りとトップテープの巻取りの２つのことを同時に行うことを絶対条件とし、且つ部品テープの種類によってトップテープの巻取りのテンションを変動させることを可能とする構成を考え出した。以下、これを第２の実施形態として説明する。
【００３３】
図２は、第２の実施形態におけるテープフィーダをその部品供給口近傍の構成を主体として模式的に示す側面図である。尚、図２には、図１と同一の構成又は同一の機能部分には図１と同一の番号を付与して示している。
【００３４】
図２に示すように、本例のテープフィーダ３０は、図１に示した２個のモータ（送りモータ１３と巻取りモータ１９）が無く、代わって１個の兼用モータ３１が配置され、この兼用モータ３１の駆動軸ギアが減速二枚ギア１２と１８に歯合している。
【００３５】
すなわち、本例のテープフィーダ３０においては、スプロケット６と排出ギア１６とを駆動伝達系（減速二枚ギア１２、１８、アイドルギア１１）を介して同時に回転駆動する１個の駆動モータ（兼用モータ３１）が配設されている。
【００３６】
そして、排出ギア１６に使用済みのトップテープ５を介して圧接係合する補助排出ギア１７には、この補助排出ギア１７を排出ギア１６への圧接係合方向に付勢する付勢機構と、この付勢機構の付勢力の強弱を可変する可変機構とが配設されている。
【００３７】
上記の付勢機構は、回動支持軸２１、回転支持軸２２、螺旋バネ２３、及び回動部材３２からなる。
回動支持軸２１は本体装置に固設され、回動部材３２は一端を補助排出ギア１７の回転支持軸２２に支持され、他端を回動支持軸２１に回動自在に支持されている。
【００３８】
また、螺旋バネ２３は、その一端を回動部材３２の回動支持軸２１による支持部と回転支持軸２２による支持部の中間に係止させている。螺旋バネ２３は、その他端を引き伸ばされることにより引き付勢力を強化させ、引き伸ばしが短いほど引き付勢力が弱まる構成となっている。
【００３９】
また、可変機構は、本体装置に固設された３個の係止ピン２５からなる。これら３個の係止ピン２５の任意の１個に、上記の螺旋バネ２３の他端が係止される。ここで螺旋バネ２３の他端が係止される３個の係止ピン２５のうちの任意の１個は、現場オペレータが部品テープ３の種類によって選択し決定する。
【００４０】
なお、トップテープ５の素材が弱く、巻上げに耐えられず切れる等の不具合が生じた際は、螺旋バネ２３を係止させる係止ピン２５を下方の位置にある係止ピン２５に変更して、可動側の排出ギア１６にテンションを与える補助排出ギア１７の接触圧を調整する。
【００４１】
このような場合、つまりトップテープ５を改めて排出ギア１６と補助排出ギア１７との間に位置設定するときは、図の破線で示すように、回動部材３２と共に補助排出ギア１７を、回動支持軸２１を支点にして反時計回り方向に回動させて、排出ギア１６と補助排出ギア１７の間に間隙を形成してトップテープ５を導入する。
【００４２】
尚、係止ピン２５の配設個数は、３個と限るものではなく、４個以上であってもよく、また、使用する部品テープが限られているテープフィーダによっては２個であってもよい。
【００４３】
このように、部品テープ３の種類によって複数（本例では３個）の係止ピン２５の内の適正な位置にある１個の係止ピン２５を選択して螺旋バネ２３の他端が係止されることにより、螺旋バネ２３の引き付勢力の強弱が調整され、テープフィーダ３０に使用されている部品テープ３のトップテープ５の巻き上げに適合するテンションが、回動部材３２及び補助排出ギア１７を介してトップテープ５に加えられる。
【００４４】
これにより、スプロケットと排出ギアとを駆動伝達系を介して同時に回転駆動する１個の駆動モータを配設するだけという簡単かつ安価な構成で、厚さや強弱の異なるトップテープを容易に巻き取ることのできるテープフィーダを提供することが可能となる。
【００４５】
（第２の実施形態における変形例）
図３は、第２の実施形態における変形例としてのテープフィーダの付勢機構と可変機構のみを模式的に示す図である。
【００４６】
同図は図２に示した補助排出ギア１７とその回転支持軸２２のみを取り出して示し、それらに本変形例の付勢機構と可変機構を示している。
本変形例において、付勢機構は、本体装置に固設された支持ピン部材３３と、一端を補助排出ギア１７の回転支持軸２２に係止させ、中央部を支持ピン部材３３に軸支され、他端を中央部方向に巻き込まれることにより押し付勢力を発生させる線バネ又は板バネ３４と、から成る。
【００４７】
他方の可変機構は、本体装置に固設され、線バネ又は板バネ３４の他端を、この線バネ又は板バネの中央部方向に巻き込む位置で係止させる複数（本例では３個）の他端部位置決めピン３５から成る。
【００４８】
線バネ又は板バネ３４は、その他端を中央部方向（支持ピン部材３３方向）に巻き込まれるほど押し付勢力を強化させ、巻き込みが少ないほど押し付勢力が弱まる構成となっている。
【００４９】
この場合も、現場オペレータは、部品テープ３の種類によって、本体装置に固設された３個の他端部位置決めピン３５の任意の１個を選択し、線バネ又は板バネ３４の他端を係止させて、その他端部を位置決めする。
【００５０】
これにより、部品テープの種類によって複数（本例では３個）の他端部位置決めピン３５の内の適正な位置にある１個のピンを選択して線バネ又は板バネ３４の他端が係止され位置決めされることにより、線バネ又は板バネ３４の押し付勢力の強弱が調整され、テープフィーダに使用されている部品テープのトップテープの巻き上げに適合するテンションが、補助排出ギア１７を介してトップテープに加えられる。
【図面の簡単な説明】
【００５１】
【図１】第１の実施形態におけるテープフィーダをその部品供給口近傍の構成を主体として模式的に示す側面図である。
【図２】第２の実施形態におけるテープフィーダをその部品供給口近傍の構成を主体として模式的に示す側面図である。
【図３】第２の実施形態における変形例としてのテープフィーダの付勢機構と可変機構のみを模式的に示す図である。
【符号の説明】
【００５２】
１      テープフィーダ
２      テープリール
３      部品テープ
４      本体テープ
５      トップテープ
６      スプロケット
７      歯
８      支持軸
９      ギア
１１    アイドルギア
１２    減速二枚ギア
１３    送りモータ
１４    部品供給口
１５    案内ピン
１６    排出ギア
１７    補助排出ギア
１８    減速二枚ギア
１９    巻取りモータ
２１    回動支持軸
２２    回転支持軸
２３    螺旋バネ
２４    棒状部材
２５    係止ピン
２６    取っ手
２７    位置決め係合ピン
２８    ハーネス
３０    テープフィーダ
３１    兼用モータ
３２    回動部材
３３    支持ピン部材
３４    線バネ又は板バネ
３５    他端部位置決めピン
【図１】
0004690220.tif 000002
【図２】
0004690220.tif 000003
【図３】
0004690220.tif 000004